(57)【要約】【課題】釣り用リールにおいて、無線通信部が傷付くのを防止するとともに、無線通信部の無線通信を安定させる。【解決手段】第１側板１０の突出部１０ｃの内側の側部には、内部に通信部７４の全体が収納される合成樹脂製のケース部材９２が装着されている。ここでは、通信部７４の全体がケース部材９２の内部に配置されるので、通信部７４が外部に露出することがなくなるために、通信部７４が傷付きにくくなる。さらに、ここでは、ケース部材９２が合成樹脂製であるので、ケース部材９２の内部に配置された通信部７４の無線通信を阻害することがなくなる。【選択図】図４
2012005428.tif 000002
【特許請求の範囲】
【請求項１】
釣竿に装着され、釣り糸を巻き取り及び繰り出す釣り用リールであって、
前記釣竿に装着される金属製のリール本体と、
前記リール本体に回転自在に装着され、前記釣り糸を巻き付けるスプールと、
前記リール本体に設けられ、前記スプールを回転させるハンドルと、
前記リール本体の外部に設けられた外部機器と無線通信可能な無線通信部と、
前記リール本体の外表面に装着され、前記無線通信部の全体が内部に配置される合成樹脂製のケース部材と、
を備えた釣り用リール。
【請求項２】
前記ケース部材は、前記リール本体の外表面から突出したドーム形状である、請求項１に記載の釣り用リール。
【請求項３】
前記リール本体は、前記スプールを臨むように複数の空洞部を有する筒状のリールボディと、前記リールボディの両端部を覆うようにそれぞれ装着される有底筒状の１対の側板とを有しており、
前記ケース部材は、前記ハンドル装着側と逆側の前記側板の外側面に装着されている、請求項１又は２に記載の釣り用リール。
【請求項４】
前記リール本体は、前記スプールを臨むように複数の空洞部を有する筒状のリールボディと、一方側に前記ハンドルが装着され、前記リールボディの両端部を覆うようにそれぞれ装着される有底筒状の１対の側板とを有しており、
前記ケース部材は、前記ハンドル装着側と逆側の前記側板の内側面に装着されている、請求項１又は２に記載の釣り用リール。
【請求項５】
前記ハンドル装着側と逆側の側板は、内部に各種の機構が装着され側部が開口する筒状の筒状部と、前記筒状部の開口部から前部下方に一体的に突出する突出部とを有しており、
前記ケース部材は、前記突出部の内側面に装着されている、請求項４に記載の釣り用リール。
【請求項６】
前記釣り糸に作用する張力を検出する張力検出部をさらに備えており、
前記無線通信部は、前記張力検出部により検出された前記釣り糸に作用する張力を前記外部機器に出力する、請求項１から５のいずれか１項に記載の釣り用リール。
【請求項７】
前記外部機器は、前記釣り用リールの外部に設けられ、前記無線通信部から受信した情報を表示する釣り情報表示装置である、請求項１から６のいずれか１項に記載の釣り用リール。
【発明の詳細な説明】
【技術分野】
【０００１】
本発明は、釣り用リール、特に、釣竿に装着され、釣り糸を巻き取り及び繰り出す釣り用リールに関する。
【背景技術】
【０００２】
一般に、釣り用リールは、金属製のリール本体と、リール本体に回転自在に装着されたスプールと、スプールを回転させるためのハンドルとを備えている。スプールは、リール本体に支持されるスプール軸に装着され、ハンドルは、スプール軸と平行に配置されたハンドル軸に回転不能に装着されている。このような釣り用リールでは、たとえば、ハンドル軸に装着されるスタードラグや、スプール軸に装着されるレバードラグ等のスプールの回転を制動するドラグ機構と、ドラグ機構に作用するトルクを検出するトルクセンサと、トルクセンサによって検出されたトルクに基づいて算出された釣り糸に作用する張力を釣り用リールの外部に設けられた釣り情報表示装置に送信する無線通信部とをさらに備えたものが知られている（たとえば、特許文献１参照）。ここでは、トルクセンサによってドラグ機構に作用するトルクを検出することによって、釣り糸に作用する張力を算出することができるので、釣り糸に作用する張力を無線通信によって釣り用リールの無線通信部から釣り情報表示装置の無線通信部に送信し、釣り糸に作用する張力を釣り情報表示装置の表示部に表示させることによって、釣人は釣り糸に作用する張力、すなわち魚がヒットしたか否かの情報や魚の引き具合等の現在の釣り状況をリアルタイムかつ確実に把握することができる。
【先行技術文献】
【特許文献】
【０００３】
【特許文献１】特開２００５−２７００１７号公報
【発明の概要】
【発明が解決しようとする課題】
【０００４】
前記従来の釣り用リールでは、釣り糸に作用する張力を無線通信によって釣り用リールの無線通信部から釣り情報表示装置の無線通信部に送信し、釣り糸に作用する張力を釣り情報表示装置の表示部に表示させるようになっている。釣り用リールの無線通信部は、金属製のリール本体の上部に設けられ、無線通信部の上部がリール本体の外部に露出するように配置され、無線通信部の下部がリール本体の内部に埋設するように配置されている。ここでは、無線通信部の上部がリール本体の外部に露出するように配置されているので、リール本体の外部に露出した無線通信部が傷付いて破損するおそれがあるとともに、無線通信部の下部がリール本体の内部に埋設するように配置されているために、金属製のリール本体がリール本体の内部に埋設された無線通信部の安定した無線通信を阻害するおそれが生じる。
【０００５】
本発明の課題は、釣り用リールにおいて、無線通信部が傷付くのを防止するとともに、無線通信部の無線通信を安定させることにある。
【課題を解決するための手段】
【０００６】
発明１に係る釣り用リールは、釣竿に装着され、釣り糸を巻き取り及び繰り出す釣り用リールであって、リール本体と、スプールと、ハンドルと、無線通信部と、ケース部材とを備えている。リール本体は、釣竿に装着される金属製の部材である。スプールは、リール本体に回転自在に装着され、釣り糸を巻き付ける。ハンドルは、リール本体に設けられ、スプールを回転させる。無線通信部は、リール本体の外部に設けられた外部機器と無線通信可能である。ケース部材は、リール本体の外表面に装着され、無線通信部の全体が内部に配置される合成樹脂製の部材である。
【０００７】
この釣り用リールでは、リール本体の外表面に装着され、無線通信部の全体が内部に配置される合成樹脂製のケース部材が設けられている。ここでは、無線通信部の全体がケース部材の内部に配置されるので、無線通信部が外部に露出することがなくなり、このため、無線通信部が傷付きにくくなる。さらに、ここでは、ケース部材は合成樹脂製であるので、ケース部材の内部に配置された無線通信部の無線通信を阻害することがなくなる。したがって、このようなケース部材によって、無線通信部が傷付くのを防止できるとともに、無線通信部の無線通信を安定させることができる。
【０００８】
発明２に係る釣り用リールは、発明１の釣り用リールにおいて、ケース部材は、リール本体の外表面から突出したドーム形状である。この場合、ケース部材は、滑らかな外表面を有するドーム形状であるので、ケース部材を小型化できる。
【０００９】
発明３に係る釣り用リールは、発明１又は２の釣り用リールにおいて、リール本体は、スプールを臨むように複数の空洞部を有する筒状のリールボディと、リールボディの両端部を覆うようにそれぞれ装着される有底筒状の１対の側板とを有している。ケース部材は、ハンドル装着側と逆側の側板の外側面に装着されている。この場合、ハンドル装着側と逆側の側板には、表示部を有するカウンタケース、各種の制御を行う制御部を有する取付基板、電源部等の各種の電気部品が配置されている場合には、これらの電気部品と無線通信部との配線が容易になる。
【００１０】
発明４に係る釣り用リールは、発明１又は２の釣り用リールにおいて、リール本体は、スプールを臨むように複数の空洞部を有する筒状のリールボディと、一方側にハンドルが装着され、リールボディの両端部を覆うようにそれぞれ装着される有底筒状の１対の側板とを有している。ケース部材は、ハンドル装着側と逆側の側板の内側面に装着されている。この場合、ケース部材は、ハンドル装着側と逆側の側板の内側面、すなわちスプール側の内側面に配置されているので、ケース部材が傷付きにくくなる。
【００１１】
発明５に係る釣り用リールは、発明４の釣り用リールにおいて、ハンドル装着側と逆側の側板は、内部に各種の機構が装着され側部が開口する筒状の筒状部と、筒状部の開口部から前部下方に一体的に突出する突出部とを有している。ケース部材は、突出部の内側面に装着されている。この場合、ケース部材は、開口部から前部下方に突出した比較的スペースのある突出部に装着できる。
【００１２】
発明６に係る釣り用リールは、発明１から５のいずれかの釣り用リールにおいて、釣り糸に作用する張力を検出する張力検出部をさらに備えている。無線通信部は、張力検出部により検出された釣り糸に作用する張力を外部機器に出力する。この場合、釣り糸に作用する張力を外部機器の表示部に表示させることができるので、釣人は釣り糸に作用する張力、すなわち魚がヒットしたか否かの情報や魚の引き具合等の現在の釣り状況をリアルタイムかつ確実に把握することができる。
【００１３】
発明７に係る釣り用リールは、発明１から６のいずれかの釣り用リールにおいて、外部機器は、釣り用リールの外部に設けられ、無線通信部から受信した情報を表示する釣り情報表示装置である。この場合、釣り用リールから無線通信により受信した情報を釣り情報表示装置の表示部に表示させることができる。
【発明の効果】
【００１４】
本発明によれば、釣り用リールにおいて、リール本体の外表面に装着され、無線通信部の全体が内部に配置される合成樹脂製のケース部材が設けられているので、無線通信部が傷付くのを防止できるとともに、無線通信部の無線通信を安定させることができる。
【図面の簡単な説明】
【００１５】
【図１】本発明の一実施形態を採用した釣り用リールの斜視図。
【図２】前記釣り用リールの断面図。
【図３】前記釣り用リールの第１側板を外側（左側）から見たときの斜視図。
【図４】前記第１側板を内側（右側）から見たときの斜視図。
【図５】前記第１側板を外側（左側）から見たときの側面図。
【図６】前記第１側板を内側（右側）から見たときの側面図。
【図７】前記第１側板を前側から見たときの正面図。
【図８】前記釣り用リールの制御ブロック図。
【図９】釣り情報表示装置の平面図。
【図１０】前記釣り情報表示装置の表示部の平面図。
【発明を実施するための形態】
【００１６】
本発明の一実施形態を採用した釣り用リール１００は、図１及び図２に示すように、トローリングに用いられる大型の両軸受リールである。釣り用リール１００は、筒状のリール本体１と、リール本体１の中心部に回転自在に装着されたスプール軸２と、スプール軸２に回転自在かつ軸方向移動不能に支持されたスプール３と、リール本体１の側方に配置されたハンドル４とを備えている。また、釣り用リール１００は、ハンドル４の回転をスプール３に伝達する回転伝達機構６と、スプール３の糸繰り出し方向の回転を制動するレバードラグ機構７と、スプール３の糸繰り出し方向の回転を規制する逆転防止機構９とをリール本体１の内部に備えている。
【００１７】
リール本体１は、図１及び図２に示すように、金属製の左右１対の有底筒状の第１側板１０（ハンドル４装着側と逆側の側板）及び第２側板１１（ハンドル４装着側の側板）と、第１側板１０及び第２側板１１が両端に印籠結合により同芯に結合され、複数本の固定ねじにより固定された金属製の孔あき筒状のリールボディ１２とを有している。第１側板１０及び第２側板１１は、その略中心部で回動自在にスプール軸２の両端を支持する。
【００１８】
リールボディ１２と第１側板１０及び第２側板１１との間の上部にはリールハーネスに装着するためのハーネスラグ１３が間隔を隔てて装着されている。リールボディ１２の下部にはリールを釣竿に装着するための竿取付部１４が設けられている。
【００１９】
第１側板１０は、図１に示すように、内部に形成され各種の機構が装着される取付基板１０ａを有し両側部が開口する筒状の筒状部１０ｂと、筒状部１０ｂから前部下方に一体的に突出する突出部１０ｃとを有している。
【００２０】
筒状部１０ｂは、図１から図７に示すように、円筒状の部材であり、内部に略円板状の取付基板１０ａが装着固定されている。筒状部１０ｂの両側部は、それぞれ円形の開口部である第１開口部１０ｄ（スプール３側の内側開口部）及び第２開口部１０ｆ（外側開口部）を有している。第２開口部１０ｆの外側には、図３、図５及び図７に示すように、第２開口部１０ｆを覆う円盤状の第１蓋部材９０が装着されている。
【００２１】
第１蓋部材９０は、図３、図５及び図７に示すように、第２開口部１０ｆの内径よりやや大きい円盤部材であって、第２開口部１０ｆの周囲に形成された６つのねじ孔に６つの取付ねじ９０ａを挿通することによって第１蓋部材９０は筒状部１０ｂに着脱可能に取り付けられている。
【００２２】
突出部１０ｃは、図１から図７に示すように、筒状部１０ｂから前部下方に筒状部１０ｂと同幅となるように一体的に突出する部分である。突出部１０ｃの内側（スプール３側）の側部には、図４、図６及び図７に示すように、後述する通信部７４が収納されるケース部材９２を取り付け可能な取付凹部１０ｅが形成され、突出部１０ｃの外側の側部には、図３、図５及び図７に示すように、後述する電源部６８を収納可能な収納凹部１０ｇが形成されている。取付凹部１０ｅは、ケース部材９２の外形と略同一な内形が矩形の凹部であって、ケース部材９２を取付凹部１０ｅに装着した状態で取付凹部１０ｅの隅部に形成された４つのねじ孔に４つの取付ねじ９２ａを挿通することによってケース部材９２は突出部１０ｃの内側に着脱可能に取り付けられている。収納凹部１０ｇは、内側の取付凹部１０ｅの逆側の外側に形成された内形が矩形の凹部であって、取付凹部１０ｅの深さに比して深い突出部１０ｃの大部分を占める凹部である。収納凹部１０ｇの内部には、電源部６８の図示しない電池ボックスが着脱自在に取り付け可能である。収納凹部１０ｇの外側には、収納凹部１０ｇを覆う板状の第２蓋部材９１が装着されている。
【００２３】
第２蓋部材９１は、図３、図５及び図７に示すように、外形が突出部１０ｃの外形及び第１蓋部材９０の外形に沿う収納凹部１０ｇより大きい円盤部材であって、電源部６８を収納凹部１０ｇに装着した状態で収納凹部１０ｇの周囲に形成された３つのねじ孔に３つの取付ねじ９１ａを挿通することによって、第２蓋部材９１は突出部１０ｃの外側に着脱可能に取り付けられている。第２蓋部材９１は、図３、図５及び図７に示すように、第１蓋部材９０と別体で形成されている。
【００２４】
ケース部材９２は、図４、図６及び図７に示すように、通信部７４の全体が内部に配置される合成樹脂製の部材であって、突出部１０ｃの内側面から内側に突出したドーム形状の部材である。ケース部材９２の表面（内側面）中央部は、図４、図６及び図７に示すように、内側面の他の部分より内側に突出した膨出部９２ｂが形成されており、通信部７４の図示しないアンテナ部を収納可能な逃がし用の空間を形成している。ケース部材９２の底部には、ケース部材９２の内部に通信部７４を収納した状態で図示しない板状部材が装着されており、ケース部材９２と板状部材とが箱形状になることにより通信部７４が１つのユニットとして保持される。
【００２５】
第１側板１０の筒状部１０ｂの上部には、図１から図４に示すように、箱型形状のカウンタケース７０が配置されている。カウンタケース７０の上面には、仕掛けの水深情報（糸長）や釣り糸に作用する張力（補正トルク）や仕掛けの繰り出し速度等を表示する表示部７９と、表示部７９の前側に配置され表示部７９の表示を切り替える操作を行うための操作部７７とが設けられている。
【００２６】
第１側板１０の筒状部１０ｂの内部には、図２に示すように、略円板状の取付基板１０ａが装着固定されている。取付基板１０ａには、各種の制御を行う制御部７３（図８参照）や、各種の情報を記憶する記憶部７８（図８参照）や、後述するスプールセンサ７１（図８参照）、スプールカウンタ７２（図８参照）を構成するリードスイッチや、後述する取付基板１０ａのセンサ基板の温度を検出する基板温度センサ６９（図８参照）や、バックアップ用のバッテリ等が配置されている。さらに、取付基板１０ａには、図２に示すように、後述するトルクセンサ７５や、温度センサ７６を保持するための保持ケースが装着されている。
【００２７】
スプール軸２は、図２に示すように、両端に配置された左右１対の軸受３１ａ、軸受３１ｂにより第１側板１０の第１蓋部材９０及び第２側板１１に回転自在に支持されている。また、その内側で軸方向に間隔を隔ててスプール３の両端に配置された２つの軸受３２ａ、軸受３２ｂによりスプール３を回転自在に支持する。スプール軸２の左端の軸受３１ａの内輪の右側には、図２に示すように、逆転防止機構９の後述するラチェットホイール５０が当接している。スプール３を支持する左側の軸受３２ａの内輪の左側には、レバードラグ機構７の後述する摩擦ディスク２６が当接している。
【００２８】
スプール３は、図２に示すように、糸巻胴部３ａと、糸巻胴部３ａの両端に一体形成されたフランジ部３ｂとを有している。
【００２９】
ハンドル４は、図２に示すように、スプール軸２の下方にスプール軸２と平行に配置された筒状のハンドル軸５の突出端に固定されている。ハンドル軸５は、ボス部１１ａの下方に軸方向に間隔を隔てて配置された２つの軸受３３ａ、軸受３３ｂによりリール本体１に回転自在に支持されている。
【００３０】
回転伝達機構６は、図２に示すように、高低二速に切換可能な変速機構を備えている。回転伝達機構６は、図２に示すように、ハンドル４のハンドル軸５に回転自在に支持された高速巻き取り用の第１ギア１６及び低速巻き取り用の第２ギア１７と、第１ギア１６及び第２ギア１７にそれぞれ噛み合う状態でスプール軸２に回転不能に装着された第３ギア１８及び第４ギア１９と、第１ギア１６及び第２ギア１７のいずれか一方とハンドル軸５とを結合し、回転を伝達する係合片２０と、係合片２０の両側で係合片２０を位置決めする２つの圧縮ばね２１ａ、圧縮ばね２１ｂと、係合片２０の位置を設定する操作軸２２とを有している。操作軸２２は、ハンドル軸５内部にハンドル軸５を貫通して外部に突出している。外部に突出した操作軸２２の右側の端部には、スライド型のストッパ２３がハンドル４に設けられている。
【００３１】
このような構成の回転伝達機構６では、操作軸２２を図２左側に押し込むと、第２ギア１７に係合片２０が配置されハンドル４の回転が第２ギア１７を介して第４ギア１９に伝達されスプール軸２及びスプール３が低速回転する。一方、スライド型のストッパ２３をスライドさせて操作軸２２を図２右側に引き出すと、第１ギア１６に係合片２０が配置されハンドル４の回転が第１ギア１６を介して第３ギア１８に伝達されスプール軸２及びスプール３が高速回転する。
【００３２】
レバードラグ機構７は、図２に示すように、スプール３の左側に装着された制動ディスク２５と、制動ディスク２５の左側に対向するように配置された摩擦ディスク２６と、スプール３及び制動ディスク２５をスプール軸２の軸方向に往復移動させるための移動機構２９とを有している。
【００３３】
制動ディスク２５は、図２に示すように、たとえばステンレス製のワッシャ状の円板部材であり、周方向に間隔を隔てて配置された複数本の取付ピンにより、スプール３の左側のフランジ部３ｂの端面にスプール３と接離する方向に所定距離移動自在かつスプール３に対して回転不能に装着されている。
【００３４】
摩擦ディスク２６は、図２に示すように、制動ディスク２５に対向して配置され、スプール軸２の軸方向に移動可能にスプール軸２に装着されている。摩擦ディスク２６の制動ディスク２５に対向する面には、たとえばカーボングラファイトや繊維強化樹脂等の耐摩耗性素材製のリング状の摩擦板２６ａがねじ止めされている。摩擦ディスク２６内周部の右端面は、移動機構２９のコイルばね４７を介してスプール３内周部の軸受３２ａの内輪が当接している。摩擦ディスク２６内周部の左端面は、逆転防止機構９のラチェットホイール５０が当接している。ラチェットホイール５０は、スプール軸２の外周面に回転不能に装着されている。ラチェットホイール５０は、軸受３１ａの内輪に当接している。軸受３１ａの外輪は第１側板１０に当接している。この結果、摩擦ディスク２６は、スプール軸２の軸方向外方（図２左方）へ移動不能であるとともに、ラチェットホイール５０により糸繰り出し方向の回転が禁止される。また、逆転防止機構９は、外周面に鋸歯が形成されたラチェットホイール５０と、ラチェットホイール５０の外周側に配置され先端が鋸歯を係止するラチェット爪５１とを有する爪式のものである。ラチェット爪５１は、第１側板１０の内側面に揺動自在に装着されており、引張ばねにより鋸歯を係止する側に付勢されている。
【００３５】
摩擦ディスク２６の外側は、図２に示すように、ドラグカバー４１により覆われている。ドラグカバー４１は、たとえば放熱性能を考慮したアルミニウム合金製であり、中心に円形の開口を有する皿状のカバー本体４１ａと、カバー本体４１ａの外周面に一体形成されたリング状の取付部４１ｂとを有している。カバー本体４１ａは、内部に摩擦ディスク２６や制動ディスク２５を収納可能な空間を有している。カバー本体４１ａの左側面には、スプールセンサ７１（図８参照）、スプールカウンタ７２（図８参照）を構成するリードスイッチに対向する位置に、スプールセンサ７１（図８参照）、スプールカウンタ７２（図８参照）を構成する複数の磁石が装着されている。取付部４１ｂは、複数本のビスなどの適宜の固定手段によりスプール３のフランジ部３ｂの端面に固定されており、ドラグカバー４１はスプール３と一体回転するようになっている。
【００３６】
移動機構２９は、図２に示すように、リール本体１に揺動自在に設けられた制動操作レバー４５と、制動操作レバー４５の時計回りの揺動に応じてスプール３及び制動ディスク２５を押圧して図２左方に移動させる押圧機構４６と、摩擦ディスク２６を付勢して制動操作レバー４５の反時計回りの移動に応じてスプール３及び制動ディスク２５を図２右方に移動させるためのコイルばね４７とを有している。コイルばね４７は、摩擦ディスク２６とスプール３内周部の軸受３２ａとの間においてスプール軸２の外周側に圧縮状態で装着され、摩擦ディスク２６とスプール３とを離反する方向に付勢している。
【００３７】
制動操作レバー４５は、図２に示すように、時計回りに揺動させた制動解除位置と、反時計回りに揺動させた最大制動位置との間でリール本体１に揺動自在に装着されている。制動操作レバー４５は、ボス部１１ａに揺動自在に装着されるレバー部４５ａと、レバー部４５ａの先端に固定されたつまみ部４５ｂとを有している。レバー部４５ａの基端部は、押圧機構４６を構成する第１カム部材６０に回転不能に係止されている。
【００３８】
押圧機構４６は、ボス部１１ａの内周面に回転自在かつ軸方向移動不能に装着された第１カム部材６０と、第１カム部材６０の回動により軸方向に移動する第２カム部材６１と、第２カム部材６１に連動して軸方向に移動する押圧部材６２とを備えている。第１カム部材６０は、制動操作レバー４５の揺動に連動して回動する大小２段の筒状部材である。大径の基端側の端面には傾斜カムが形成されている。第２カム部材６１は、筒状の部材であり、ボス部１１ａの内周面に回転不能かつ軸方向移動自在に装着されている。第２カム部材６１の第１カム部材６０に対向する外周側の端面には、第１カム部材６０の傾斜カムに係合する傾斜カムが形成されている。この２つの傾斜カムの相対回動により第１カム部材６０の回動運動が第２カム部材６１の軸方向の直線運動に変換され第２カム部材６１が軸方向に移動する。第２カム部材６１の内周面は、押圧部材６２に螺合している。これにより第２カム部材６１と押圧部材６２との軸方向の相対位置関係を調整でき、制動操作レバー４５の所定位置でのドラグ力を調整できる。
【００３９】
リール本体１の第１側板１０の内部には、図２に示すように、各種の制御を行う制御部７３（図８参照）が取り付けられる取付基板１０ａが装着固定されている。制御部７３は、図８に示すように、電源部６８、基板温度センサ６９、スプールセンサ７１、スプールカウンタ７２、トルクセンサ７５、温度センサ７６、通信部７４、操作部７７、記憶部７８、表示部７９及び他の入出力部が電気的に接続されている。
【００４０】
制御部７３は、取付基板１０ａに配置されたＣＰＵ、ＲＡＭ、ＲＯＭ、Ｉ／Ｏインターフェイス等を含むマイクロコンピュータを含んでいる。制御部７３は、記憶部７８に予め記憶された制御プログラムにしたがって、通信部７４の通信制御処理や、表示部７９の表示制御処理や、スプールセンサ７１、スプールカウンタ７２から検出されたデータに基づいて仕掛けの水深情報（糸長）、仕掛けの繰り出し速度を算出する制御処理や、トルクセンサ７５から検出されたトルクデータと温度センサ７６及び基板温度センサ６９から検出された温度データとに基づいて検出トルクを補正して補正トルクを算出する制御処理等の各種の制御動作を実行する。記憶部７８は、たとえばＥＥＰＲＯＭ等の不揮発メモリからなり、糸長算出時に使用するマップデータ等の各種のデータが記憶されている。
【００４１】
電源部６８は、図３、図５及び図７に示すように、第１側板１０の突出部１０ｃの外側に形成された収納凹部１０ｇに着脱可能に装着される電池ボックスに配置されるものである。電池ボックスは、単３乾電池３個を直列に並べたものを並列に２段、配置可能な合計６個の単３乾電池を収納した筐状のボックスであって、４．５Ｖの電力を供給可能である。電源部６８は、収納凹部１０ｇの内部から取付基板１０ａに配線され、制御部７３によって適宜電圧に変圧された後、通信部７４や表示部７９に電力が供給される。ここで、電源部６８の単３乾電池を交換するときには、３つの取付ねじ９１ａを取り外し第２蓋部材９１を突出部１０ｃから取り外し、収納凹部１０ｇの開口を外部に露出させ、収納凹部１０ｇから電池ボックスを取り外すことによって、６個の単３乾電池を交換できる。
【００４２】
スプールセンサ７１は、前後に並べて配置された２つのリードスイッチから構成されている。リードスイッチは、磁石ホイールに装着された２個の磁石を検出する。この検出パルスをスプールカウンタ７２で計数することでリールの回転数を検出できる。また、いずれのリードスイッチが先に検出パルスを発したかによりスプール３の回転方向を検出できる。
【００４３】
スプールカウンタ７２は、スプールセンサ７１のオン、オフ回数を計数するカウンタであり、この計数値によりスプール回転数に関する回転位置データが得られる。スプールカウンタ７２は、スプール３が正転（糸繰り出し方向の回転）すると計数値が減少し、逆転すると増加する。
【００４４】
トルクセンサ７５は、図２に示すように、磁歪式のセンサであって、逆転防止機構９のラチェットホイール５０とレバードラグ機構７の摩擦ディスク２６との間のスプール軸２の外周に装着された磁歪素子と、磁歪素子の周囲に配置され取付基板１０ａに装着固定された保持ケースに保持された検出コイルとを有している。磁歪素子は、たとえばアモルファス合金箔からなる軟磁性体で構成されており、間隔を隔ててスプール軸２に巻き付け固定されている。磁歪素子の表面には、磁気異方性を付与するために異なる角度に傾斜した凹溝が形成されている。検出コイルは、磁歪素子を囲むように円筒状に形成されており、スプール軸２の捩れによる磁歪素子の透磁率の変化に応じて自己インダクタンスが変化する。トルクセンサ７５の検出コイルは、制御部７３（図８参照）に接続されており、検出コイルにより検出された検出トルクが制御部７３に送られる。また、トルクセンサ７５の検出コイルの両側には、検出コイルの温度を検出する２つのセンサからなる温度センサ７６が配置されている。
【００４５】
温度センサ７６は、図２に示すように、トルクセンサ７５の検出コイルに接触可能に装着されるサーミスタである。温度センサ７６は、トルクセンサ７５の検出コイルとともに、取付基板１０ａに装着固定された保持ケースに保持されている。温度センサ７６は、制御部７３（図８参照）に接続されており、温度センサ７６により検出されたトルクセンサ７５の検出コイルの温度が制御部７３に送られる。
【００４６】
基板温度センサ６９（図８参照）は、トルクセンサ７５や温度センサ７６が接続されるセンサ回路が取り付けられるセンサ基板の温度を検出するセンサであって、取付基板１０ａのセンサ基板上に配置されている。基板温度センサ６９は、制御部７３（図８参照）に接続されており、基板温度センサ６９により検出されたセンサ基板の温度が制御部７３に送られる。
【００４７】
制御部７３は、表示部７９や通信部７４等の各種の制御を行うとともに、仕掛けの水深情報を演算する水深演算処理を行う。水深演算処理は、スプールカウンタ７２により計数されたスプール３の回転数と、記憶部７８に保持されたマップデータとを対応させることにより、スプール３の回転数を仕掛けの水深情報に変換する。このようにして得られた仕掛けの水深情報は、数値情報として表示部７９や通信部７４に送られる。
【００４８】
また、制御部７３は、スプール３の回転速度を演算する回転速度演算処理を行う。回転速度演算処理は、スプールカウンタ７２により計数されたスプール３の回転数と、制御部７３の内部クロックから得られる時間情報とに基づいて、スプール３の単位時間当たりの回転速度を算出する。このようにして得られたスプール３の回転速度情報は、数値情報として表示部７９や通信部７４に送られる。
【００４９】
表示部７９は、図５に拡大して示すように、前側から後側の順に、仕掛けの水深情報（糸長）を表示する糸長表示領域と、釣り糸に作用する張力（補正トルク）を表示するトルク表示領域と、仕掛けの繰り出し速度等を表示する速度表示領域とを有するセグメント液晶である。
【００５０】
操作部７７は、略長円形の押圧式のボタンであって、表示部７９の表示設定を切り替えたり、表示内容をリセットしたりするためのボタンである。また、表示部７９の表示設定は、釣り用リール１００の外部に設けられた後述する釣り情報表示装置８０（図８及び図９参照）に設けられた操作部８４によっても切替可能であって、釣り用リール１００に設けられた通信部７４（図８参照）と釣り情報表示装置８０に設けられた通信部８６（図８参照）とが無線通信することによって電気的に接続されている。釣り情報表示装置８０の通信部８６は、図１０に示すように、釣り用リール１００から得られる仕掛けの水深情報を受信して表示部８５に表示するようになっている。
【００５１】
通信部７４は、図８に示すように、釣り用リール１００の外部に設けられた釣り情報表示装置８０の通信部８６と各種の情報を送受信可能である。通信部７４は、仕掛けの水深情報や、スプール３の回転速度情報や、釣り糸に作用する張力情報を釣り情報表示装置８０の通信部８６に送信可能である。通信部７４は、１つのＺｉｇＢｅｅ（登録商標）モジュールにより構成されており、釣り情報表示装置８０の通信部８６のＺｉｇＢｅｅ（登録商標）モジュールと無線通信可能である。ＺｉｇＢｅｅ（登録商標）は、ＩＥＥＥ８０２．１５．４として規格化された短距離無線通信規格の一つであって、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１５．４として規格化されており、たとえば、２．４ＧＨｚの無線周波数帯を使用する。釣り用リール１００の通信部７４のＺｉｇＢｅｅ（登録商標）モジュールは、マルチポイントネットワークに対応したモジュールであり、複数の釣り情報表示装置８０の通信部８６のＺｉｇＢｅｅ（登録商標）モジュールと通信可能であるが、本実施形態では１つの釣り情報表示装置８０の通信部８６のＺｉｇＢｅｅ（登録商標）モジュールと通信可能である。通信部７４は、図４、図６及び図７に示すように、ＺｉｇＢｅｅ（登録商標）モジュール全体が内部に配置されるように、突出部１０ｃの内側面から内側に突出したドーム形状の合成樹脂製のケース部材９２に覆われている。ケース部材９２の表面（内側面）中央部は、図４、図６及び図７に示すように、内側面の他の部分より内側に突出した膨出部９２ｂが形成されており、ＺｉｇＢｅｅ（登録商標）モジュールの図示しないアンテナ部を収納可能な逃がし用の空間を形成している。ケース部材９２の底部には、ケース部材９２の内部にＺｉｇＢｅｅ（登録商標）モジュールを収納した状態で図示しない板状部材が装着されており、ケース部材９２と板状部材とが箱形状になることにより通信部７４が１つのユニットとして保持される。
【００５２】
釣り情報表示装置８０は、図９に示すように、略直方体形状の横型の本体部材８１と、本体部材８１の内部に配置された制御部８３（図８参照）と、本体部材８１の内部に配置された通信部８６（図８参照）と、本体部材８１の表面中央部に配置されたタッチパネル式の液晶ディスプレイからなる表示部８５と、表示部８５の表面に配置されたタッチパネル８４ａと表示部８５の側部に配置された押圧式の電源スイッチ８４ｂとからなる操作部８４とを有している。タッチパネル８４ａは、複数の釣り用リール１００の表示部７９の表示設定を切り替える操作を行うことが可能である。電源スイッチ８４ｂは表示部８５の表示をオンオフ操作することが可能である。釣り情報表示装置８０は、図示しない全地球測位システム（ＧＰＳ）モジュールが内蔵されており、タッチパネル８４ａの切替操作によって、表示部８５にＧＰＳからの各種情報を表示することが可能である。釣り情報表示装置８０は、本体部材８１の両側部に揺動自在かつ着脱可能に取り付けられるアーム状の取付台８７に装着されており、本体部材８１を前後方向に揺動させることにより、表示部８５の角度を任意に設定できる。また、釣り情報表示装置８０は、図示しないパーソナルコンピュータの情報入出力端子に接続可能な情報入出力端子（たとえば、ＵＳＢ（ユニバーサル・シリアル・バス）入出力端子）を有しており、たとえば、釣り情報表示装置８０の記憶部に記憶された釣り用リール１００に関する仕掛けの水深情報（糸長）、釣り糸に作用する張力（補正トルク）、仕掛けの繰り出し速度の各種ログ情報を、ＵＳＢメモリを介してパーソナルコンピュータのＵＳＢ入出力端子からパーソナルコンピュータの記憶部に入力し、パーソナルコンピュータの表示部に釣り用リール１００に関する仕掛けの水深情報（糸長）、釣り糸に作用する張力（補正トルク）、仕掛けの繰り出し速度の各種ログ情報を表示させることが可能である。
【００５３】
表示部８５は、図１０に示すように、２行３列の各領域に６つの釣り用リール１００に関する６つの仕掛けの水深情報（糸長）、６つの釣り糸に作用する張力（補正トルク）、６つの仕掛けの繰り出し速度を１つの釣り情報表示装置８０の表示部８５に表示させるようになっており、図１０では、３つの釣り用リール１００が１つの釣り情報表示装置８０に接続されており、３つの釣り用リール１００に関する３つの仕掛けの水深情報（糸長）、３つの釣り糸に作用する張力（補正トルク）、複数の仕掛けの繰り出し速度を１つの釣り情報表示装置８０の表示部８５に表示させるようになっている。
【００５４】
表示部８５の２行３列の各領域（左上から第１領域、右下に向かって第６領域）は、図１０に示すように、上側から下側の順に、仕掛けの水深情報（糸長）を表示する糸長表示領域８５ａと、釣り糸に作用する張力（補正トルク）を表示するトルク表示領域８５ｂと、仕掛けの繰り出し速度等を表示する速度表示領域８５ｃとを有するドットマトリックス液晶である。第１領域の糸長表示領域８５ａは、仕掛けの水深情報（糸長）を表示するための領域であって、「ＤＩＳＴＡＮＣＥ」の文字と、たとえば糸長が１２０．０ｍであることを示す「１２０．０ｍ」とが表示されている。第１領域のトルク表示領域８５ｂは、釣り糸に作用する張力（補正トルク）を表示するための領域であって、「ＬＩＮＥ  ＴＥＮＳＩＯＮ」の文字と、たとえば補正トルクが１５．０ｋｇであることを示す「１５．０ｋｇ」とが表示されている。第１領域の速度表示領域８５ｃは、仕掛けの繰り出し速度（スプール３の回転速度）を表示するための領域であって、「ＬＩＮＥ  ＳＰＥＥＤ」の文字と、たとえば速度が１０．０ｋｍ／ｈであることを示す「１０．０ｋｍ／ｈ」とが表示されている。
【００５５】
通信部８６は、図８に示すように、釣り用リール１００の通信部７４と各種の情報を無線にて送受信可能である。通信部８６は、釣り用リール１００の通信部７４から仕掛けの水深データや、スプール３の回転速度情報や、釣り糸に作用する張力情報等の情報を受信し、釣り用リール１００の通信部７４へ各種の指令情報を送信する。通信部８６は、釣り用リール１００の通信部７４と同様に、１つのＺｉｇＢｅｅ（登録商標）モジュールにより構成されており、釣り用リール１００の通信部７４のＺｉｇＢｅｅ（登録商標）モジュールと無線通信可能である。通信部８６のＺｉｇＢｅｅ（登録商標）モジュールは、マルチポイントネットワークに対応したモジュールであり、複数の釣り用リール１００の通信部７４のＺｉｇＢｅｅ（登録商標）モジュールと通信可能であり、本実施形態では、６つの釣り用リール１００の通信部７４のＺｉｇＢｅｅ（登録商標）モジュールと通信可能である。
【００５６】
このような釣り用リール１００では、第１側板１０の突出部１０ｃの内側（スプール３側）の側部には、内部に通信部７４の全体が収納される合成樹脂製のケース部材９２が装着されている。ここでは、通信部７４の全体がケース部材９２の内部に配置されるので、通信部７４が外部に露出することがなくなるために、通信部７４が傷付きにくくなる。さらに、ここでは、ケース部材９２が合成樹脂製であるので、ケース部材９２の内部に配置された通信部７４の無線通信を阻害することがなくなる。したがって、このようなケース部材９２を設けることによって、通信部７４が傷付くのを防止できるとともに、通信部７４の無線通信を安定させることができる。
【００５７】
〔他の実施形態〕
（ａ）  前記実施形態では、釣り用リール１００の外部に釣り情報表示装置８０を設け、釣り情報表示装置８０の表示部８５に釣り糸に作用する張力を表示させていたが、釣り用リール１００の表示部７９のみに釣り糸に作用する張力を表示させる構成にしてもよい。また、釣り情報表示装置８０は、魚群探知機から得られる漁場の底の水深や魚群の位置を示す棚位置をエコー表示させる構成にしてもよい。
【００５８】
（ｂ）  前記実施形態では、ケース部材９２は、突出部１０ｃの内側面に装着されていたが、これに限定されるものではなく、突出部１０ｃの外側面に装着してもよい。
【００５９】
（ｃ）  前記実施形態では、第２蓋部材９１は、第１蓋部材９０と別体で形成されていたが、第１蓋部材９０と第２蓋部材９１とを一体成形してもよい。
【００６０】
（ｄ）  前記実施形態では、６つの釣り用リール１００に関する仕掛けの水深情報（糸長）、釣り糸に作用する張力（補正トルク）、仕掛けの繰り出し速度を１つの釣り情報表示装置８０の表示部８５に表示させるようにしていたが、複数の釣り用リール１００に関する仕掛けの水深情報（糸長）、釣り糸に作用する張力（補正トルク）、仕掛けの繰り出し速度を、複数の釣り情報表示装置８０の表示部８５に表示させるようにしてもよい。さらに、複数の釣り情報表示装置８０の通信部８６を２つのＺｉｇＢｅｅ（登録商標）モジュールにより構成し、複数の釣り情報表示装置８０の通信部８６同士が複数の釣り用リール１００に関する仕掛けの水深情報（糸長）、釣り糸に作用する張力（補正トルク）、仕掛けの繰り出し速度を通信する構成にしてもよい。
【符号の説明】
【００６１】
２  スプール軸
３  スプール
３ａ  糸巻胴部
３ｂ  フランジ部
４  ハンドル
５  ハンドル軸
６  回転伝達機構
７  レバードラグ機構
９  逆転防止機構
１０  第１側板
１０ａ  取付基板
１０ｂ  筒状部
１０ｃ  突出部
１０ｄ  第１開口部
１０ｅ  取付凹部
１０ｆ  第２開口部
１０ｇ  収納凹部
１１  第２側板
１１ａ  ボス部
１２  リールボディ
１３  ハーネスラグ
１４  竿取付部
１６  第１ギア
１７  第２ギア
１８  第３ギア
１９  第４ギア
２０  係合片
２１ａ  圧縮ばね
２１ｂ  圧縮ばね
２２  操作軸
２３  ストッパ
２５  制動ディスク
２６  摩擦ディスク
２６ａ  摩擦板
２９  移動機構
３１ａ  軸受
３１ｂ  軸受
３２ａ  軸受
３２ｂ  軸受
３３ａ  軸受
３３ｂ  軸受
４１  ドラグカバー
４１ａ  カバー本体
４１ｂ  取付部
４５  制動操作レバー
４５ａ  レバー部
４５ｂ  つまみ部
４６  押圧機構
４７  コイルばね
５０  ラチェットホイール
５１  ラチェット爪
６０  第１カム部材
６１  第２カム部材
６２  押圧部材
６８  電源部
６９  基板温度センサ
７０  カウンタケース
７１  スプールセンサ
７２  スプールカウンタ
７３  制御部
７４  通信部
７５  トルクセンサ
７６  温度センサ
７７  操作部
７８  記憶部
７９  表示部
８０  釣り情報表示装置
８１  本体部材
８３  制御部
８４  操作部
８４ａ  タッチパネル
８４ｂ  電源スイッチ
８５  表示部
８５ａ  糸長表示領域
８５ｂ  トルク表示領域
８５ｃ  速度表示領域
８６  通信部
８７  取付台
９０  第１蓋部材
９０ａ  取付ねじ
９１  第２蓋部材
９１ａ  取付ねじ
９２  ケース部材
９２ａ  取付ねじ
９２ｂ  膨出部
１００  釣り用リール
【図１】
2012005428.tif 000003
【図２】
2012005428.tif 000004
【図３】
2012005428.tif 000005
【図４】
2012005428.tif 000006
【図５】
2012005428.tif 000007
【図６】
2012005428.tif 000008
【図７】
2012005428.tif 000009
【図８】
2012005428.tif 000010
【図９】
2012005428.tif 000011
【図１０】
2012005428.tif 000012